(57)【要約】  ユーザに対して視聴覚コンテンツを再生し且つ視聴覚コンテンツに関連する情報を通知する電子機器（１０、１０’）。電子機器は、視聴覚データを再生する視聴覚データプレーヤ（３２、３８、７６）と、視聴覚データに関連するテキストデータを、テキストをユーザに対して可聴再生するために用いられるテキストデータ表現に変換する合成器（８０）と、視聴覚データをユーザに通知するための視聴覚データの再生に関連してテキストデータを再生するように合成器及び視聴覚データプレーヤを制御するコントローラ（２４、６２）とを備える。
2009536500.tif 000002
【特許請求の範囲】
【請求項１】
移動無線端末（１０、１０’）であって、
前記移動無線端末と着呼側デバイス又は発呼側デバイスとの間の呼完了を可能にする無線回路（３０）と、
テキストをユーザに対して可聴再生するために用いられるテキストデータ表現に、テキストデータを変換するテキスト読み上げ合成器（８０）と
を備えることを特徴とする移動無線端末（１０、１０’）。
【請求項２】
前記ユーザに対して視聴覚データを再生する視聴覚データプレーヤ（３２、３８、７６）を更に備え、
前記変換されたテキストデータは、前記視聴覚データに関連するヘッダから取得され、前記視聴覚データを前記ユーザに通知するための前記視聴覚データの再生に関連して再生される人の声による通知をシミュレートするために、つなぎ用の音声（filler audio）とマージされることを特徴とする請求項１に記載の移動無線端末。
【請求項３】
ユーザに対して視聴覚コンテンツを再生し且つ前記視聴覚コンテンツに関連する情報を通知する電子機器（１０、１０’）であって、
視聴覚データを再生する視聴覚データプレーヤ（３２、３８、７６）と、
テキストをユーザに対して可聴再生するために用いられる前記テキストデータ表現に、前記視聴覚データに関連するテキストデータを変換する合成器（８０）と、
前記視聴覚データを前記ユーザに通知するための前記視聴覚データの再生に関連して前記テキストデータを再生するように、前記合成器及び前記視聴覚データプレーヤを制御するコントローラ（２４、６２）と
を備えることを特徴とする電子機器（１０、１０’）。
【請求項４】
前記視聴覚データに関連する変換されたテキストデータは、人の声による通知をシミュレートするために、つなぎ用の音声とマージされることを特徴とする請求項３に記載の電子機器。
【請求項５】
前記コントローラの制御下で前記視聴覚データプレーヤのオーディオ出力と前記合成器の出力とを各音量で組み合わせるオーディオミクサ（８２）を更に備えることを特徴とする請求項３又は４に記載の電子機器。
【請求項６】
前記テキストデータは、前記視聴覚データの再生前、前記視聴覚データの再生後又は前記視聴覚データの再生中のうちの１つから選択される時期に可聴通知されることを特徴とする請求項３乃至５のいずれか１項に記載の電子機器。
【請求項７】
前記コントローラは、前記テキストデータの前記変換において人の声を適用するように前記合成器を制御することを特徴とする請求項３乃至６のいずれか１項に記載の電子機器。
【請求項８】
前記コントローラは、更に、前記視聴覚データプレーヤにより再生される前記視聴覚データに無関係の追加テキストデータを変換することにより、前記追加テキストデータを前記ユーザに対して再生するように前記合成器を制御することを特徴とする請求項３乃至７のいずれか１項に記載の電子機器。
【請求項９】
前記追加テキストデータは、前記電子機器の外部ソースから取得され、ニュースの見出し、天気予報、交通情報、スポーツのスコア又は株価のうちの少なくとも１つに対応することを特徴とする請求項８に記載の電子機器。
【請求項１０】
電子機器（１０、１０’）のユーザに対して視聴覚コンテンツを再生し且つ前記視聴覚コンテンツに関連する情報を通知する方法であって、
前記ユーザに対して視聴覚データを再生する工程と、
前記視聴覚データに関連するテキストデータを、テキストデータ表現に変換し且つ前記表現を前記ユーザに対して可聴再生する工程と
を備えることを特徴とする方法。
【発明の詳細な説明】
【技術分野】
【０００１】
本発明は、一般に、電子機器に関するものであり、音声通信に関係する電子機器且つ／又はユーザに対して視聴覚コンテンツを再生する電子機器等に関するものである。特に、本発明は、移動無線端末のユーザに対してオーディオ及び／又はビデオコンテンツを通知する方法及びシステムに関するものである。
【背景技術】
【０００２】
移動及び／又は無線電子デバイスの普及が進んでいる。例えば、移動電話及び携帯メディアプレーヤは、現在広範に使用されている。更に、ある特定の種類の電子デバイスに関連付けられる特徴については多様化が進んでいる。いくつか例を挙げると、多くの電子デバイスは、カメラ、テキストメッセージング機能、インターネット閲覧機能、電子メール機能、ビデオ再生機能、オーディオ再生機能、画像表示機能及びハンズフリーヘッドセットインタフェースを有する。
【０００３】
上述のように、いくつかの電子デバイスは、オーディオ及び／又はビデオ再生機能を含む。オーディオの再生は、デバイスのメモリからオーディオファイルを開くこと、ファイルに含まれるオーディオデータを復号化すること及びユーザが聞くために復号化されたオーディオデータに対応するサウンドを出力することが含まれる。サウンドは、例えば、デバイスのスピーカを使用するか又は有線「小型イヤホン」又は無線ヘッドセット構体等のイヤホンを使用することにより出力されてもよい。ビデオの再生は、ビデオファイルを開くこと、ビデオデータを復号化すること及びディスプレイを駆動するために対応するビデオ信号を出力することが含まれる。ビデオの再生は、ビデオデータに関連するオーディオデータを復号化すること及び対応するサウンドをユーザに対して出力することを更に含んでいてもよい。
【０００４】
他の状況において、デバイスは、受信したオーディオデータを再生するように構成されてもよい。例えば、移動無線対応デバイスは、モバイルラジオチャネル又はモバイルテレビチャネルに同調するための受信機を有してもよい。モバイルラジオ及びビデオサービスは、通常、各チャネルに対するオーディオ及び／ビデオデータがデータストリームの各タイムスロットにおいてデータバーストとして配送されるタイムスライス型データストリームの一部等を下り送信することによりオーディオデータを配送する。デバイスでは、受信、バッファリング、再アセンブル、復号化及びユーザへの出力が行われるように、選択されたチャネルに対するデータバーストが特定の注目チャネルに同調される。
【発明の開示】
【発明が解決しようとする課題】
【０００５】
格納済オーディオ及びビデオファイル、並びにストリーミングオーディオ及びビデオデータを含む多くのオーディオ及びビデオファイルは、対応するコンテンツに関する情報を識別するヘッダを含む。例えば、音楽（又は曲）ファイルヘッダは、曲名、アーティスト、アルバム名及び作品が記録された年を識別できる。この情報は、ファイルを整理するために使用されたり、再生中にユーザに対して曲情報をテキストとして表示装置上に表示するために使用されたりする。しかし、多くの状況において、任意の表示情報を読取るためにディスプレイを見ることはユーザにとって不都合な場合がある。更に、情報の表示は、ヘッダに含まれるデータに限定される。ビデオコンテンツに関する情報は、同様に視覚表示される。
【課題を解決するための手段】
【０００６】
本発明の１つの面によると、移動無線端末は、移動無線端末と着呼側デバイス又は発呼側デバイスとの間の呼完了を可能にする無線回路と、テキストをユーザに対して可聴再生するためのテキストデータ表現にテキストデータを変換するテキスト読み上げ合成器とを備える。
【０００７】
別の面によると、変換テキストデータは、視聴覚データに関連するヘッダから取得される。
【０００８】
別の面によると、移動無線端末は、ユーザに対して視聴覚データを再生する視聴覚データプレーヤを更に含み、変換テキストデータは、視聴覚データをユーザに通知するための視聴覚データの再生に関連して再生される。
【０００９】
別の面によると、ヘッダからの変換テキストデータは、人の声による通知をシミュレートするために、つなぎ用の音声とマージされる。
【００１０】
本発明の別の面によると、ユーザに対して視聴覚コンテンツを再生し且つ視聴覚コンテンツに関連する情報を通知する電子機器は、視聴覚データを再生する視聴覚データプレーヤと、視聴覚データに関連するテキストデータを、テキストをユーザに対して可聴再生するために用いられるテキストデータ表現に変換する合成器と、視聴覚データをユーザに通知するための視聴覚データの再生に関連してテキストデータを再生するように合成器及び視聴覚データプレーヤを制御するコントローラとを備える。
【００１１】
別の面によると、視聴覚データに関連する変換テキストデータは、人の声による通知をシミュレートするために、つなぎ用の音声とマージされる。
【００１２】
別の面によると、電子機器は、コントローラの制御下で視聴覚データプレーヤのオーディオ出力と合成器の出力とを各音量で組み合わせるオーディオミクサを更に含む。
【００１３】
別の面によると、テキストデータは、視聴覚データの再生前、視聴覚データの再生後又は視聴覚データの再生中のうちの１つから選択される時期に可聴通知される。
【００１４】
別の面によると、テキストデータは、視聴覚データを含む視聴覚ファイルのヘッダから取得される。
【００１５】
別の面によると、電子機器は、視聴覚ファイルを格納するためのメモリを更に含む。
【００１６】
別の面によると、複数単位の視聴覚データが再生され、テキストデータは視聴覚データ単位の再生毎に再生され、コントローラは、テキストデータ再生の通知様式を、１つの視聴覚データ再生から次の視聴覚データ再生までの間、変更する。
【００１７】
別の面によると、コントローラは、テキストデータの変換において人の声を適用するように合成器を制御する。
【００１８】
別の面によると、通知に用いられる人の声は視聴覚データのジャンルに対応する。
【００１９】
別の面によると、通知に用いられる人の声は時刻に対応する。
【００２０】
別の面によると、コントローラは、視聴覚データプレーヤにより再生される視聴覚データに無関係の追加テキストデータを変換することにより追加テキストデータをユーザに対して再生するように合成器を更に制御する。
【００２１】
別の面によると、追加テキストデータは、第１の単位の視聴覚データの再生と第２の単位の視聴覚データの再生との間で通知される。
【００２２】
別の面によると、追加テキストデータは、電子機器のカレンダ機能により管理されるカレンダイベントに対応する。
【００２３】
別の面によると、追加テキストデータは、電子機器の時計機能により管理される時刻に対応する。
【００２４】
別の面によると、追加テキストデータは、電子機器の外部ソースから取得され、ニュースの見出し、天気予報、交通情報、スポーツのスコア又は株価のうち少なくとも１つに対応する。
【００２５】
別の面によると、追加テキストデータは、電子機器により再生するためにサービスプロバイダにより事前にフォーマットされる。
【００２６】
別の面によると、追加テキストデータは、電子機器の情報検索機能により探索を実行することにより取得される。
【００２７】
別の面によると、追加テキストデータは、ユーザからの音声コマンドの受信に応答して再生される。
【００２８】
別の面によると、電子機器は、視聴覚データを視聴覚データプレーヤにより再生するためのダウンストリームとして受信する送受信機を更に備える。
【００２９】
別の面によると、電子機器は移動無線端末である。
【００３０】
本発明の別の面によると、電子機器のユーザに対して視聴覚コンテンツを再生し且つ視聴覚コンテンツに関連する情報を通知する方法は、ユーザに対して視聴覚データを再生する工程と、テキストデータ表現に視聴覚データ関連テキストデータを変換し且つ表現をユーザに対して可聴再生する工程とを含む。
【００３１】
本発明の上記の特徴及び更なる特徴は、以下の説明及び添付の図面を参照することにより明らかになるであろう。説明及び図面において、本発明の原理が採用されうるいくつかの方法のうちの一例として本発明の特定の実施形態を詳細に開示する。しかし、本発明の範囲はそれらに限定されないことは理解されよう。本発明は、本明細書に添付の請求の範囲の趣旨及び条件内に含まれる全ての変更、変形及び均等物を含むものとする。
【００３２】
一実施形態に関して説明及び／又は図示される特徴は、１つ以上の他の実施形態において同一又は同様の方法で使用されてもよく且つ／又は他の実施形態の特徴と組み合わせ又はそのような特徴の代わりに使用されてもよい。
【００３３】
尚、本明細書中で使用される場合の用語「備える」は、記載される特徴、数字、ステップ又は構成要素の存在を特定すると解釈されるが、１つ以上の他の特徴、数字、ステップ、構成要素又はそれらの集合の存在又は追加を除外するものではない。
【発明を実施するための最良の形態】
【００３４】
図面を参照しながら本発明を以下に説明する。本明細書において、同一の図中符号は同一の要素を示すために使用されるものとする。
【００３５】
用語「電子機器」は、携帯無線通信機器を含む。用語「携帯無線通信機器」は、以下「移動無線端末」と呼ばれ、移動電話、ページャ、通信機、電子オーガナイザ、パーソナルデジタルアシスタント（ＰＤＡ）、スマートフォン又は携帯通信装置等の全ての機器を含む。電子機器の他の例は、携帯メディアプレーヤ、メディアジュークボックス及び同様のデバイスを含んでもよいが、これらに限定されるものではない。また、無線送受信機を有していても有していなくてもよい。
【００３６】
本願においては、主に移動電話に関して本発明を説明する。しかし、本発明は、移動電話に限定されず、任意の種類の電子機器であってもよいことは理解されよう。また、本願においては、主にオーディオコンテンツの通知に関して本発明の実施形態を説明する。しかし、本発明は、オーディオコンテンツの通知に限定することを意図したものではなく、任意の形態の視聴覚コンテンツの通知等の任意の情報の通知に範囲が広げられてもよいことが理解されるであろう。本明細書中で使用されるように、視聴覚コンテンツは特に、オーディオファイル又はオーディオデータから取得されるオーディオコンテンツ、ビデオファイル又はビデオデータから取得されるビデオコンテンツ（関連するオーディオコンテンツを有していても有していなくてもよい）及び画像ファイル又は画像データから取得される画像コンテンツ（例えば写真）を含むが、これらに限定されるものではない。
【００３７】
まず、図１には、本発明に係る電子機器１０が示されている。電子機器は、関連する視聴覚コンテンツの再生又は出力に対応する可聴情報をユーザに提供するように構成される視聴覚コンテンツ通知機能を含む。視聴覚コンテンツの再生は、視聴覚コンテンツ獲得の任意の方法に関し、ローカルに格納されたファイルから視聴覚データを読出すこと及び送信（例えば、オーディオ及び／又はビデオの下り送信、モバイルラジオチャネル、モバイルテレビチャネル、ＲＳＳフィード等）からデータを受信することを含むがこれらに限定されないことはいうもでもない。従って、視聴覚ファイル及び／又は視聴覚データは、ファイル転送及びダウンロードにより取得されてもよく、ポッドキャスト送信元及びモバイルラジオチャネル又はモバイルテレビチャネル等から取得されてもよい。視聴覚コンテンツ通知機能は、視聴覚ファイル又は視聴覚データのヘッダから通知情報を取得してもよい。視聴覚ファイル又は視聴覚データに関する情報の通知に加えて、視聴覚コンテンツ通知機能は、スポーツのスコア、天気情報、交通情報、ニュース、カレンダイベント、並びに日付及び／又は時刻等の追加可聴情報をユーザに提供してもよい。通知の選択及びタイミングは、視聴覚コンテンツ通知機能が従来のラジオのディスクジョッキ（ＤＪ）をシミュレート（simulate）するように構成されていてもよいし、電子機器１０のユーザ固有のものにされていてもよい。視聴覚ファイル毎の視聴覚データ又は受信視聴覚データの各セグメントは、一単位の視聴覚データと呼ばれる。
【００３８】
視聴覚コンテンツ通知機能は、電子機器１０に常駐し且つ電子機器１０により実行される実行可能コードとして実現されてもよいことは理解されよう。他の実施形態において、以下により詳細に説明するように、視聴覚コンテンツ通知機能（又は機能の複数部分）は、電子機器１０とは別個のサーバ又はデバイスに常駐し且つそれにより実行されてもよい（例えば、電子機器１０のリソースを節約するために）。
【００３９】
図１〜図３の実施形態における電子機器は移動電話であり、移動電話１０と称す。移動電話１０は、ストレート型筐体１２を有するように示されているが、折りたたみ筐体又はスライド型筐体等の他の種類の筐体が使用されてもよいことはいうまでもない。
【００４０】
移動電話１０は、ディスプレイ１４及びキーパッド１６を含む。従来のように、ディスプレイ１４は、動作状態、時刻、電話番号、連絡先情報、種々のナビゲーションメニュー等の情報をユーザに対して表示し、それによってユーザは、移動電話１０の種々の特徴を利用することができる。ディスプレイ１４は、移動電話１０により受信されたコンテンツ及び／又は移動電話１０のメモリ１８（図２）から検索されたコンテンツを視覚表示するために更に使用されてもよい。
【００４１】
同様に、キーパッド１６は、種々のユーザ入力動作を提供する点で従来通りであってもよい。例えばキーパッド１６は、通常、電話番号、電話リスト、連絡先情報、メモ等の英数字情報の入力を可能にする英数字キー２０を含む。更にキーパッド１６は、通常、発呼又は着呼するための「通話送出」キー及び終話又は通話を「切る」ための「終話」キー等の特殊機能キーを含む。特殊機能キーは、例えば、従来のように異なる電話機能、プロファイル、設定等を選択するために、ディスプレイ１４上に表示されたメニュー内をナビゲートするためのメニューナビゲーションキーを更に含んでいてもよい。移動電話に関連付けられる他のキーは、音量キー、消音キー、電源オン／オフキー、ウェブブラウザ起動キー、カメラキー等を含んでいてもよい。キー又はキー状の機能は、更に、ディスプレイ１４に関連付けられるタッチスクリーンとして実現されてもよい。
【００４２】
移動電話１０は従来の通話回路網を含み、これによって移動電話１０は、通話を確立し且つ／又は通常は別の移動電話又は固定電話である着呼側／発呼側デバイスと信号を交換することができる。しかし、着呼側／発呼側デバイスは、必ずしも別の電話でなくてもよく、インターネットウェブサーバ、コンテンツ提供サーバ等の他の任意のデバイスであってもよい。
【００４３】
図２は、移動電話１０の機能ブロック図を表す。移動電話１０内部のアプリケーションソフトウェア又はコードの形態で実行可能論理として実現されるのが好ましい視聴覚コンテンツ通知機能２２以外、移動電話１０の構造は、一般に従来通りであってもよい。移動電話１０は、移動電話１０の機能及び動作の全制御を実行するように構成される基本制御回路２４を含む。制御回路２４は、ＣＰＵ、マイクロコントローラ又はマイクロプロセッサ等の処理デバイス２６を含んでいてもよい。処理デバイス２６は、移動電話１０の従来の動作を実行するために、制御回路２４内部のメモリ（不図示）及び／又はメモリ１８等の別個のメモリに格納されたコードを実行する。メモリ１８は、例えばバッファ、フラッシュメモリ、ハードドライブ、取外し可能媒体、揮発性メモリ、不揮発性メモリ又は他の適切なデバイスのうちの１つ以上であってもよい。更に、処理デバイス２６は、視聴覚コンテンツ通知機能２２を実行するためにコードを実行する。
【００４４】
本明細書中で説明する機能を動作及び実行するように移動電話１０をプログラムする方法は、コンピュータプログラミング、特に移動電話又は他の電子デバイスのアプリケーションプログラミングの当業者には明らかであろう。従って、説明を簡潔にするため、特定のプログラミングコードに関する詳細は省略した。また、視聴覚コンテンツ通知機能２２は本発明の好適な実施形態に従って処理デバイス２６により実行されるが、そのような機能性は、本発明の範囲を逸脱せずに、専用ハードウェア、ファームウェア、ソフトウェア又はそれらの組合せを介して実行されるようにしてもよい。
【００４５】
更に図１及び図２を参照すると、移動電話１０は、無線回路３０に結合されるアンテナ２８を含む。無線回路３０は、従来のようにアンテナ２８を介して信号を送受信する無線周波数送信機及び受信機を含む。無線回路３０は、視聴覚コンテンツを受信すると共に移動通信システムにおいて動作するように構成されてもよい。例えば受信機は、ＤＶＢ−Ｈモバイルテレビ及び／又はモバイルラジオ等の移動通信及びデジタル放送サービスを提供するハイブリッドネットワーク構造と互換性のあるＩＰデータキャスト対応受信機であってもよい。移動無線ネットワーク又は放送ネットワークと対話する他の受信機が可能であり、例えばＧＳＭ、ＣＤＭＡ、ＷＣＤＭＡ、ＭＢＭＳ、ＷｉＦｉ、ＷｉＭａｘ、ＤＶＢ−Ｈ、ＩＳＤＢ−Ｔ等を含む。
【００４６】
移動電話１０は、無線回路３０により送受信されるオーディオ信号を処理するサウンド信号処理回路３２を更に含む。サウンド処理回路３２には、ユーザが従来のように移動電話１０を介して聞き且つ話すことができるようにするスピーカ３４及びマイク３６が結合される。無線回路３０及びサウンド処理回路３２は、全動作を実行するために制御回路２４にそれぞれ結合される。オーディオデータは、ユーザに対して再生するために制御回路２４からサウンド信号処理回路３２に渡されてもよい。オーディオデータは、例えば、メモリ１８により格納され且つ制御回路２４により検索されるオーディオファイルからのオーディオデータを含んでいてもよい。サウンド処理回路３２は、任意の適切なバッファ、復号器及び増幅器等を含んでいてもよい。
【００４７】
移動電話１０は、制御回路２４に結合された上述のディスプレイ１４及びキーパッド１６を更に含む。ディスプレイ１４は、ビデオデータをディプレイ１４を駆動するために使用されるビデオ信号に変換するビデオ復号器３８を介して制御回路２４に結合されていてもよい。ビデオデータは、制御回路２４により生成されてもよいし、メモリ１８に格納されたビデオファイルから検索されてもよいし、無線回路３０により受信される着信ビデオデータストリームから取得されてもよいし、あるいは他の任意の方法により取得されてもよい。復号器３８に入力される前に、ビデオデータはバッファ４０に入れられてもよい。
【００４８】
移動電話１０は、１つ以上のＩ／Ｏインタフェース４２を更に含む。Ｉ／Ｏインタフェース４２は、通常の移動電話Ｉ／Ｏインタフェースの形態であってもよく、１つ以上の電気コネクタを含んでいてもよい。通常通り、Ｉ／Ｏインタフェース４２は、移動電話１０内部の給電ユニット（ＰＳＵ）４４のバッテリを充電するために移動電話１０をバッテリ充電器に結合するために使用されてもよい。それに加えて又はその代わりに、Ｉ／Ｏインタフェース４２は、サウンド処理回路３２により出力されるサウンド信号をユーザに対して可聴出力するヘッドセット（イヤセットと呼ばれることもある）等の有線パーソナルハンズフリーアダプタ（不図示）に移動電話１０を接続するように機能してもよい。更に、Ｉ／Ｏインタフェース４２は、データケーブルを介して移動電話１０をパーソナルコンピュータ又は他のデバイスに接続するように機能してもよい。移動電話１０が、車両の電源アダプタ又は電気コンセントの電源アダプタに接続される場合、Ｉ／Ｏインタフェース４２を介して動作電力を受け取ってもよい。
【００４９】
移動電話１０は、時間測定機能を実行するタイマ４６を更に含んでいてもよい。そのような機能は、通話時間の測定、時刻及び日付スタンプの内容の生成等を含んでいてもよい。移動電話１０は、デジタル写真及び／又は動画を撮影するカメラ４８を含んでいてもよい。写真及び／又は動画に対応する画像及び／又はビデオファイルは、メモリ１８に格納されていてもよい。移動電話１０は、全地球測位システム（ＧＰＳ）受信機又はガリレオ衛星システム受信機等の位置データ受信機５０を更に含んでいてもよい。移動電話１０は、付属品との通信を確立する赤外線送受信機及び／又はＲＦアダプタ（例えばＢｌｕｅｔｏｏｔｈアダプタ）、ハンズフリーアダプタ（例えば、移動電話１０からアダプタに転送されたオーディオデータに対応するサウンドを可聴出力するヘッドセット）、別の移動無線端末、コンピュータ又は別のデバイス等のローカル無線インタフェース５２を更に含んでいてもよい。
【００５０】
移動電話１０は、テキストメッセージ（例えば、ショートメッセージサービス（ＳＭＳ）でフォーマットされたメッセージ）、電子メールメッセージ、マルチメディアメッセージ（例えば、マルチメディアメッセージングサービス（ＭＭＳ）でフォーマットされたメッセージ）、画像ファイル、ビデオファイル、オーディオファイル、呼出し音、ストリーミングオーディオ、ストリーミングビデオ及びデータ供給（ポッドキャストを含む）等のデータを送信、受信及び処理するように構成されていてもよい。そのようなデータの処理は、メモリ１８へのデータの格納、データとのユーザ対話を可能にするアプリケーションの実行、データに関連するビデオ及び／又は画像コンテンツの表示、並びにデータに関連するオーディオサウンドの出力等が含まれる。
【００５１】
図３に更に示すように、移動電話１０は、通信システム５４の一部として動作するように構成されていてもよい。システム５４は、移動電話１０により行われるか又は移動電話１０を送信先とする通話を管理し、移動電話１０へデータを送信し且つ他の任意のサポート機能を実行するサーバ５８（又は複数のサーバ）を有する通信ネットワーク５６を含んでいてもよい。サーバは、送信媒体を介して移動電話１０と通信する。送信媒体は、例えば通信塔、別の移動電話、無線アクセスポイント、衛星等を含む任意の適切なデバイス又は構体であってもよい。ネットワークの複数部分は、無線送信経路を含んでいてもよい。ネットワーク５６は、複数の移動電話１０の通信活動をサポートしてもよいが、図３には１つの移動電話１０のみを示している。
【００５２】
一実施形態において、サーバ５８は、ネットワーク５２の他のサーバに関して独立した構造において動作してもよく、又は複数の通信ネットワーク５８の機能を実行するように構成されていてもよい。サーバ５８は、サーバ機能を実行するのに使用される通常のコンピュータシステムとして構成されていてもよく、サーバ５８の機能を実現する論理命令を含むソフトウェアを実行するように構成されるプロセッサを含んでいてもよい。それらの機能は、視聴覚コンテンツ通知機能２２が移動電話１０により実行されないか又は移動電話１０により部分的に実行される実施形態及び／又はサーバ機能が移動電話１０の視聴覚コンテンツ通知機能２２の動作を補う実施形態において、本明細書中で説明する視聴覚コンテンツ通知機能の一部分を含んでいてもよく、視聴覚コンテンツ通知サポート機能６０と総称される。
【００５３】
図４には、情報を可聴通知する電子機器１０’の一例のブロック図が示される。図４では、制御信号経路の例を矢印無しの線を使用して示し、オーディオデータ及び／又はオーディオ信号経路の例を矢印付きの線を使用して示している。図示されるように、以下の説明はオーディオコンテンツの再生及びそれに関連する情報の通知に関する。しかし、本発明はそれらに限定されず、任意の種類の視聴覚コンテンツ及び／又は追加情報の可聴通知に適用されるものとする。
【００５４】
電子機器１０’は移動電話１０として実現されてもよく、その場合、図示される構成要素は、移動電話１０の上述した構成要素及び／又は追加される構成要素において実現されてもよい。他の実施形態において、電子機器１０’がメディアコンテンツプレーヤ（例えばＭＰ３プレーヤ）、ＰＤＡ又は他の任意の適切なデバイスとして構成されてもよいことは理解されよう。電子機器１０’の図示される構成要素は、ソフトウェア（例えば、コンピュータ可読媒体により格納されるプログラム）、ファームウェア、ハードウェア（例えば回路構成要素、集積回路等）、メモリにより格納されるデータ等を含むがこれらに限定されない構成要素の任意の適切な形態で実現されてもよい。他の実施形態において、図４に関連して説明する機能の一部は、電子機器１０’の外部で実行されてもよい。従って、図４に示す構成要素の一部は、電子機器１０’に常駐する視聴覚コンテンツ通知機能（例えば、視聴覚コンテンツ通知機能２２）の一部として又はサーバ５８等のネットワークデバイスに常駐する視聴覚コンテンツ通知機能（例えば、視聴覚コンテンツ通知サポート機能６０）の一部として実現されてもよい。
【００５５】
電子機器１０’は、コントローラ６２を含んでいてもよい。コントローラ６２は、論理命令を実行するプロセッサ（不図示）及び論理命令を実現するコードを格納するメモリ（不図示）を含んでいてもよい。例えば、電子機器１０’が移動電話１０である実施形態において、コントローラ６２は制御回路２４であってもよく、プロセッサは処理デバイス２６であってもよく、メモリは制御回路２４のメモリ及び／又はメモリ１８であってもよい。
【００５６】
コントローラ６２は、本明細書中で説明する種々の情報通知機能を実行する論理命令を実行する。これらの機能は、視聴覚コンテンツ通知機能２２、時計機能６４、カレンダ機能６６及び情報検索機能６８を含んでいてもよいが、それらに限定されない。視聴覚コンテンツ通知機能２２は、ユーザに対するオーディオコンテンツの再生の全動作を制御し且つ電子機器１０’の種々の他のオーディオ機能を管理することができる。時計機能６４は、日付及び時刻を保持していてもよい。電子機器１０’が移動電話１０である実施形態において、時計機能６６はタイマ４６により実現されてもよい。カレンダ機能６６は、予約、誕生日、記念日等のユーザにとって重要な種々のイベントを記憶したり、一般的な従来の電子カレンダ又は日ごとの予定表として動作したりする。
【００５７】
情報検索機能６８は、外部デバイスから情報を検索するように構成されている。例えば、情報検索機能６８は、天気情報、ニュース、地域社会のイベント及びスポーツ情報等を取得する役割を果たす。一実施形態において、情報の送信元は、サーバ５８又はインターネットサーバ等の電子機器１０’が通信するサーバであってもよい。以下でより明らかになるように、情報検索機能６８により検索される情報は、視聴覚コンテンツ通知機能２２に整合するように事前にフォーマットされていてもよいし（例えば、データサービスプロバイダにより）、情報検索機能２２により行われた問い合わせに応答して受信された結果から取得されてもよい。一実施形態において、情報検索機能６８は、ＷＡＰブラウザ等のインターネットサーバと対話するためのブラウザ機能を備えていてもよい。他の実施形態において、視聴覚コンテンツ通知機能２２が使用するために電子機器１０’により受信される情報は、サービスプロバイダから取得され、ＳＭＳ又はＭＭＳの形態か又は下り送信の一部等として電子機器１０’に転送される。
【００５８】
電子機器１０’は、送受信機７０を更に備える。電子機器１０’が移動電話１０である実施形態において、送受信機７０は無線回路３０により実現されてもよい。送受信機３０は、例えばダウンロードされるか又は転送される視聴覚ファイル及びストリーミング視聴覚コンテンツを含むユーザに対して再生するための視聴覚データを受信するように構成されていてもよい。更に、送受信機７０は、情報検索機能６８に対するデータ交換プラットフォームを提供するように構成されていてもよい。
【００５９】
電子機器１０’は、ユーザ設定７２を更に備え、ユーザ設定７２には、視聴覚コンテンツ通知機能２２のある特定の動作面が実行される方法に関するデータが含まれる。ユーザ設定７２は、メモリにより格納されていてもよい。例えば、電子機器１０’が移動電話１０である実施形態においては、ユーザ設定７２はメモリ１８により格納される。
【００６０】
電子機器１０’は、ユーザに対して再生するためのオーディオデータを含むオーディオファイル７４を更に備える。オーディオファイル７４は、通常、ＭＰ３等の適切なファイル形式で格納される曲であってもよい。他の形式として、例えばＷＡＶ、ＷＭＡ、ＡＣＣ及びＭＰ４等を含んでいてもよい。他の種類のコンテンツ及びファイル形式も可能である。例えばオーディオファイルは、ポットキャスト、呼出し音、音楽を含むファイル又は他のオーディオデータ、ニュース報道及び学術講義等であってもよい。オーディオファイル７４は、メモリにより格納されていてもよい。例えば、電子機器１０’が移動電話１０である実施形態において、オーディオファイル７４はメモリ１８により格納されていてもよい。
【００６１】
この場合も、本発明がオーディオコンテンツに加えて他の種類の視聴覚コンテンツに適用することが理解されよう。オーディオファイル７４及びオーディオコンテンツ処理の説明及び図は例示にすぎない。本発明が適用するコンテンツの種類は、添付の請求の範囲によってのみ限定される。
【００６２】
ユーザに対して再生するオーディオデータは、必ずしもオーディオファイルの形態で格納されていなくてもよく、ユーザに対して再生するストリーミングオーディオデータの形態等で受信機７０を使用して受信してもよい。受信したオーディオデータは一時的にバッファに入れられてもよいが、受信したオーディオデータを再生するには、必ずしもオーディオデータをオーディオファイル７４の形態で格納しなくてもよい。
【００６３】
オーディオファイル７４及び受信したオーディオデータは、対応するオーディオデータに関する情報を含むヘッダを含む。例えば音楽（例えば曲）ファイルの場合、ヘッダは、曲名、アーティスト、その曲が発表されたアルバム及び録音年が記述されている。表１は、ＭＰ３ファイル形式に対するＩＤ３ｖ１ヘッダを示す。
【００６４】
【表１】
2009536500.tif 000003
【００６５】
電子機器１０’は、オーディオプレーヤ７６を更に備える。オーディオプレーヤ７６は、オーディオファイル７４からのデジタルオーディオデータ又は受信したオーディオデータをスピーカ７８を駆動するために使用されるアナログオーディオ信号に変換する。オーディオプレーヤ７６は、例えばバッファ及びオーディオ復号器を含んでいてもよい。電子機器１０’が移動電話１０である実施形態においては、オーディオプレーヤ７６はサウンド信号処理回路３２である。電子機器１０’が移動電話１０である実施形態においては、スピーカ７８はスピーカ３４であってもよい。
【００６６】
電子機器１０’は、テキスト読み上げ合成器８０を更に備える。合成器８０は、オーディオファイルのヘッダ情報又は他のテキストデータをスピーカ７８を駆動するために使用されるアナログオーディオ信号に変換するために使用される。合成器は、テキストの記号的言語表現にテキストデータを変換するテキスト読み上げエンジンのフロントエンド及びその表現をサウンド出力信号に変換するバックエンドにより実現される音声合成技術を備える。合成器８０がソフトウェア及び／又はハードウェアで実現されてもよいことは理解されよう。合成器機能の一部分は、コントローラ６２により実行されてもよい。
【００６７】
電子機器１０’は、コントローラ６２の制御下でオーディオプレーヤ７６の出力と合成器８０の出力とを互いに比例して組み合わせるオーディオミクサ８２を更に備える。そのような場合、ミクサ８２は、ユーザが聞く出力がオーディオファイル７４（又は受信したオーディオデータ）のみから取得されるか又は合成器８０のみから取得されるように制御される。また、ミクサは、ユーザがオーディオプレーヤ７６及び合成器８０の双方からの出力を聞くように使用されてもよく、その場合、オーディオファイルのコンテンツ（又は受信したオーディオデータのコンテンツ）及び合成器出力の相対音量は、それぞれ制御される。ミクサ８２の出力は、スピーカ７８の出力音量を制御するために増幅器８４に入力される。
【００６８】
電子機器１０’は、マイク８６を更に備える。マイク８６は、視聴覚コンテンツ通知機能２２からユーザに対して提示された質問に対するユーザからの音声応答を受信し且つ／又はユーザからのコマンドを受信するために使用される。ユーザ入力は、該入力を解釈して対応する動作を実行するために、視聴覚コンテンツ通知機能２２の音声認識構成要素により処理される。電子機器１０’が移動電話１０である実施形態において、マイク８６はマイク３６であってもよい。
【００６９】
移動電話１０を他の構造により実現することが可能であり、例えば選択されたオーディオファイル７４（又は受信したオーディオファイル）からのオーディオコンテンツ及び合成されたオーディオコンテンツを有線又は無線ヘッドセットを使用して再生する構成を備えていてもよいことは理解されよう。
【００７０】
更に図５を参照して、電子機器１０’の動作機能の例を説明する。オーディオデータの再生に際して、動作機能は、オーディオデータの再生に関連するテキスト情報を音声に変換することを含む。このように、電子機器１０’は、シミュレートされたＤＪ（又は、より一般的にはシミュレートされる視聴覚コンテンツの通知）を生成する。オーディオファイルのヘッダデータは、直前に再生された音楽、これから再生される音楽又は現在再生中の音楽に関する情報をユーザに可聴報知するために使用される。また、ユーザに情報を報知するために、追加情報がユーザに対して可聴提示されてもよい。そのような追加情報には、例えば時刻、日付、天気、交通、ニュース、ユーザ自身のカレンダイベント及び地域社会のイベント等を含んでいてもよい。
【００７１】
図５は、視聴覚コンテンツ通知機能２２及び／又は他の機能により実行するための論理ブロックを示すフローチャートであり、方法のステップを示している。機能論理ブロックの実行の特定の順序を図５に示すが、ブロックの実行順序は図示される順序に対して変更されてもよい。また、連続して示す２つ以上のブロックは、同時に実行されるか又は部分的に同時に実行されてもよい。また、ある特定のブロックは省略されてもよい。更に、任意の数のコマンド、状態変数、セマフォ又はメッセージが、有用性、課金、性能、測定及び障害処理等を向上するために論理フローに追加されてもよい。そのような変形例は全て本発明の範囲内であることが理解されよう。
【００７２】
当該方法は、ユーザ設定７２がロードされるブロック８８において開始される。ユーザ設定７２は、ユーザに通知する情報の種類と共に、視聴覚コンテンツ通知機能２２がユーザに対して情報を可聴通知する方法及び時期に関するデータを含む。例えば、ユーザ設定７２は、情報を通知するために使用される音声に対して人の声を設定してもよい。人の声の設定は、例えば、音声の性別（男性又は女性）、発話される言語及び音声の「特性」等を含んでいてもよい。音声の特性は、テキストを音声に変換するように合成器８０を制御する場合に視聴覚コンテンツ通知機能２２により使用される音量、音の高さ、速度、アクセント及び抑揚を調整することにより構成される。人の声は、軽妙、真面目、快活及び平静等の特性の種類に関連付けられていてもよい。ユーザがこれらのパラメータを直接変更できるオプションを利用可能であってもよく且つ／又はユーザは、「カントリー」調の人の声（例えば、カントリー音楽のオーディオファイルを再生する場合）、「平静で滑らかな」人の声（例えば、ジャズを再生する場合）、元気な「ロックンロール」調の人の声（例えば、ポップ音楽又はロック音楽の場合）、事務的な「専門家」調の人の声（例えば、ニュースを読み上げる場合）及び「ヒップホップ」調の人の声等の所定の人の声のジャンルから選択できるようにしてもよい。設定は、時刻等に基づいて、再生されるオーディオファイル及び／又はオーディオデータの内容に応じて、人の声を自動的に変更するように行われてもよい。一例として、快活な人の声は、朝の通知の場合には、より速い音楽及びニュース報道と共に使用されてもよく、平静な人の声は、夕方の通知の場合には、よりゆっくりとした音楽と共に使用される。
【００７３】
他のユーザ設定７２は、ヘッダ情報が通知される時期及び種類を制御してもよい。例えば、ユーザは、ヘッダ情報をオーディオデータの再生（例えば、曲の再生）前又は再生後に聞くか、曲中で曲のイントロ又は曲のエンディングに対するナレーションとして聞くか、あるいはこれらの選択肢からランダムに聞くかを選択することができる。ユーザは、アーティスト名、曲名及び曲が発表されたアルバム等のうちの１つ以上を聞くことを選択することができる。
【００７４】
ユーザ設定７２は、追加情報が通知される時期及び種類、並びに情報の送信元を制御してもよい。例えば、ユーザは、その地域の天気予報を１時間に１回聞くこと、ユーザの通常の通勤時間中にその地域の交通情報を約１０分毎に聞くこと、３０分毎にニュースの見出し及び通知されたニュースの見出しの種類（例えば、国際的な出来事、地域の出来事、スポーツ、政治、娯楽及び有名人等）を聞くこと、選択した株式の株価を定期的又は株価が所定量動いた時に聞くこと、並びに選択したチームの試合中にそのチームの試合のスコアを聞くこと等を選択することができる。
【００７５】
オーディオファイル又は受信したオーディオデータ（例えばヘッダデータ）に関連する情報及び情報送信元（例えば、専用情報サービスプロバイダ又は探索可能な情報送信元）からの情報を含むユーザが興味のある情報を通知する擬人自動通知を構成するために、ユーザ設定のみ、初期設定のみ又はユーザ設定及び初期設定の組合せが使用されてもよいことは理解されよう。
【００７６】
図面の説明に戻る。ブロック９０では、オーディオファイル７４が開かれる。尚、図示される方法は、格納されたオーディオファイル７４の再生を示している。しかし、当該方法が、電子機器１０’によりローカルに格納されない受信オーディオファイル又は受信したオーディオデータの再生に適用されてもよいことは理解されよう。受信オーディオファイル及び／又はデータに対する擬人通知機能を実行する図示された方法に対する任意の変形は、当業者には明らかであろう。受信したオーディオデータを再生する場合、ファイルは開封されていなくてもよく、受信及び再生動作が実行されていてもよい。
【００７７】
ブロック９２では、開いたオーディオファイル（又は受信したオーディオデータ）のヘッダ部分が読取られる。ヘッダの読取りは、ヘッダからテキスト情報を抽出することを含む。その後、ユーザ設定７２により判定されるようなヘッダの全部又は一部に対する通知様式がブロック９４において判定される。図示されるように、通知様式は、情報を可聴通知するのに使用される人の声、情報を通知する時期及び通知するヘッダからのフィールドの種類を含む。
【００７８】
ブロック９６において、次の適切な論理ブロックへ進むことにより、通知様式が適用される。例えば、オーディオファイル（又は受信したオーディオデータ）に関する情報を、対応するデータの再生前に通知すると通知様式が示す場合には、ブロック９８へ進む。オーディオファイル（又は受信したオーディオデータ）に関する情報を、対応するデータの再生後に通知すると通知様式が示す場合には、ブロック１００へ進む。オーディオファイル（又は受信したオーディオデータ）に関する情報を、対応するデータの再生中にナレーション特徴として通知すると通知様式が示す場合には、ブロック１０２へ進む。通知様式は、情報通知に関する再生のタイミングが、１つのタイミングオプションを常に使用するか、回転タイミングオプション選択を使用するか又はタイミングオプションをランダムに選択するかを示すものであってもよい。
【００７９】
タイミングオプションにおいてブロック９８へ進む場合、ヘッダ情報は、テキストデータからユーザに対して可聴出力される音声に変換される。通知は、ヘッダからのある特定の情報を使用し且つ情報を使い慣れたＤＪ様式の通知で提示する。例えば、ヘッダ情報は、オーディオファイル（又は受信したオーディオデータ）を通知するために使用される所定の語句の可変部分を完成するために使用されてもよい。所定の語句は、格納されたテキストデータであってもよく、これは合成器による「読取り」のためにヘッダデータとマージされる。例えば、カントリーソングの場合の格納済テキストは、次のようにフォーマットされる：「次は、カントリーの名曲です。」／アーティスト／「の」／曲名／「です」。この例において、引用符で囲まれた部分は格納済テキストであり、ヘッダデータを使用して完成する可変部分は斜線で区切られている。格納済テキストデータとヘッダデータとをマージする際、ユーザに対して可聴出力するために完全な通知が構成される。別の実施形態において、事前に格納されたテキストはオーディオデータに置き換えられ、それによってオーディオコンテンツ通知は、再生されたオーディオデータ及び変換されたヘッダ情報から形成されることとなる。いずれの場合においても、格納済テキスト又はオーディオデータから生成される「つなぎ用の音声」（filler audio）が、人の声による通知をシミュレートするためにヘッダ情報と組み合わされて使用される。つなぎ用の音声は言語音声に限定されず、サウンド効果、通知者の癖（例えば口笛、Ｈｏｍｅｒ  Ｓｉｍｐｓｏｎの「Ｄｏｈ！」等）及び背景音楽等を含んでいてもよい。従って、通知は、ヘッダ情報、オーディオデータ及び変換テキストのうちの任意の１つ以上から形成されていてもよい。
【００８０】
オーディオコンテンツを通知する例を続けると、オーディオファイルがアルバムＳｃｅｎｅ  Ｉｔ  Ａｌｌで発表されたＴｈｅ  Ｓｅｌｄｏｍ  Ｓｃｅｎｅによる曲「Ｄｕｓｔｙ」に対するものであった場合、視聴覚コンテンツ通知機能２２は、「Ｓｅｌｄｏｍ  ＳｃｅｎｅのＳｃｅｎｅ  Ｉｔ  Ａｌｌというアルバムから、『Ｄｕｓｔｙ』です」という合成文が出力される。後続のオーディオファイルは、代替語句及び／又は別の組のヘッダ情報を使用して、「Ａｓｉｅ  Ｐａｙｔｏｎによる『Ｎｏｂｏｄｙ  Ｂｕｔ  Ｙｏｕ』です」等と通知される。この例においては曲名及びアーティストのみが通知され、アルバムは無視される。別の例として、シミュレーションされる通知者は、「次は、１９９７年にＳｅｖｅｒａｎｃｅ  ＨａｌｌでＣｌｅｖｅｌａｎｄ  Ｏｒｃｈｅｓｔｒａにより録音された『Ａｎｔｏｎｉｎ  Ｄｖｏｒａｋ  Ｓｙｍｐｈｏｎｙ  Ｎｏ．７  ｉｎ  Ｄ  Ｍｉｎｏｒ』です。指揮者はＣｈｒｉｓｔｏｐｈ  Ｄｏｈｎａｎｙです」と通知される。
【００８１】
ブロック９８の通知は、通知に用いられる人の声及びオーディオコンテンツに関連する音楽のジャンル等、通知に適切な種々の通知様式パラメータを使用して行われる。ブロック９８に続いてブロック１０４へ進むと、オーディオファイル７４（又は受信したオーディオデータ）から取得されるオーディオコンテンツが再生される。
【００８２】
ブロック９６を再度参照すると、タイミングオプションにおいてブロック１００へ進む場合、オーディオファイル７４（又は受信したオーディオデータ）から取得されるオーディオコンテンツが再生される。オーディオファイル（又は受信したオーディオデータ）の再生が完了すると、ブロック１０６へ進み、ブロック１００において再生されたオーディオファイル７４（又は受信したオーディオデータ）に対応する情報が通知される。ブロック１０６の通知は、ブロック９８の通知と同一又は同様の方法で行われる。従って、説明を簡潔にするため、ブロック１０６の通知についての更なる詳細な説明は省略する。
【００８３】
ブロック９６を再度参照すると、タイミングオプションによりブロック１０２へ進む場合、オーディオファイル７４（又は受信したオーディオデータ）から取得されるオーディオコンテンツが再生される。再生の最初又は最後等の再生の適切な時期において、再生されるオーディオコンテンツの音量は低減され、オーディオファイル７４（又は受信したオーディオデータ）に対応する情報の通知がオーディオコンテンツに対するナレーションとして再生される。ブロック１０２の通知は、ブロック９８の通知と同一又は同様の方法で行われる。従って、説明を簡潔にするため、ブロック１０２の通知についての更なる詳細な説明は省略する。情報の通知後、オーディオコンテンツ再生の音量はブロック１０８において復元される。
【００８４】
ブロック１０４、１０６又は１０８の後は、ブロック１１０へ進む。ブロック１１０では、視聴覚コンテンツ通知機能２２がユーザに対してメッセージを通知する必要があるかが判定される。例えば、ユーザ設定７２は、天気予報、株価、ニュースの見出し、スポーツのスコア、現在の時刻及び／又は日付、商業広告等の情報又は他の情報の通知が適切であると示す。一実施形態において、情報検索機能６８は、前に再生されたオーディオファイルのアーティストに関するニュース項目を識別してもよい。現在のニュース項目が識別される場合には、ブロック１１０ではメッセージを通知すると判定される。変形例において、ユーザの場所におけるアーティストの任意の今後のライブ出演が識別され且つメッセージコンテンツとして使用されてもよい。
【００８５】
可聴メッセージにおける通知に対する別の情報項目として、ユーザがカレンダ機能６６に記録した今後のイベントが挙げられる。例えば、メッセージにより、翌日が誰かの誕生日であること、休日又はある特定の時刻に予定された会議があること等を報知することができる。ユーザ設定７２は、会議の約６０分前及び１０分前等、今後のカレンダイベントを通知する時期及び頻度を示すようにしてもよい。他に個人的な報知として、仕事からの帰宅中に、ある情報項目のために立ち寄ることを報知する等、可聴メッセージの形態で行われるようにしてもよい。
【００８６】
ブロック１１０においてメッセージを通知すると判定された場合、ブロック１１２へ進み、メッセージがユーザに対して再生される。多くの場合において、テキストデータは、ユーザに対して可聴再生するための音声に変換される。しかし、メッセージは、発呼者から受信された音声メッセージ、サービスプロバイダにより記録されたオーディオデータ及び商業広告等の記録オーディオデータであってもよい。変換されたテキスト及びオーディオデータ（例えば、上述のような音声つなぎ）の組合せが、メッセージを構成するために使用されてもよい。
【００８７】
ブロック１１２の後又はブロック１１０においてメッセージを通知すると判定されなかった後は、論理フローは終了する。あるいは、ブロック８８又は９０に戻り、別のオーディオファイル（又は受信したオーディオデータ）の再生を開始する。本実施形態において、ブロック１１０、１０２又は１０４におけるオーディオコンテンツの再生がモバイルラジオチャネルから受信したオーディオデータに対するものである場合には、視聴覚コンテンツ通知機能２２は、現在のモバイルラジオチャネルの使用を継続するか又は別のモバイルラジオチャネルを選択するように構成される。チャネルが変更される場合、変更はユーザに通知される。モバイルラジオチャネルの選択は、ランダムに行われてもよく、潜在チャネルの順序に従ってもよく、あるいは現在又は次に現れるコンテンツに基づいて選択されてもよい。選択が行われるチャネルは、ユーザにより確立され且つユーザ設定７２に記載される。一実施形態において、視聴覚コンテンツ通知機能２２は、対応するチャネルからの１つ以上のオーディオファイルが開始する時を判定し且つ適切な時間に適切なチャネルに切替えるために移動無線サービスプロバイダと対話するように構成されていてもよい。目標のコンテンツが受信されるまでの時間間隔は、コンテンツに対するオーディオ通知（例えば、音声つなぎと組み合わされる場合のあるヘッダ情報）及び／又は追加メッセージ（例えば、天気、ニュース、スポーツ及び／又は情報の他の項目）で埋められてもよい。
【００８８】
一実施形態において、視聴覚コンテンツ通知機能２２は、ユーザの音声コマンドを受信し且つユーザの音声コマンドに応答するように構成されていてもよい。音声認識ソフトウェアは、マイク８６を使用して受信されるユーザからの入力を解釈するために視聴覚コンテンツ通知機能２２により使用される。例えば、ユーザは、再生するための次のオーディオファイル又は次のモバイルラジオチャネルを口頭で選択すること、時刻を尋ねること及び天気予報を尋ねること等ができる。別の構成例において、視聴覚コンテンツ通知機能２２は、ブロック１１２においてメッセージを再生してユーザに関連質問を尋ねてもよい。ユーザは、この質問に対して、視聴覚コンテンツ通知機能２２による更なる適切な動作の開始を返答する。一例として、可聴出力は「現在、晴れで７３度です。予報を希望されますか？」と述べてもよい。応答において、ユーザは、長期予報を聞くために「はい」と述べてもよい。「はい」と述べなかった場合、長期予報はユーザに対して再生されない。
【００８９】
移動電話１０として実現されるか又は任意の他のデバイスとして実現されるかに関わらず、電子機器１０’は、ユーザに対して再生される視聴覚ファイル又は受信視聴覚データに関する情報を可聴出力し且つ／又はメッセージ及び他の情報をユーザに対して可聴出力する。出力は、テキスト読み上げ合成器により生成される合成音読を含んでいてもよい。これは、ディスプレイ上の情報を見ることが注意を逸らすか又は実用的ではない状況において利点を有するであろう。また、目の不自由なユーザには、本明細書中で説明した擬人自動通知機能が特に有用であることが分かるだろう。擬人通知機能は、ユーザにとって楽しく且つ参考になるものであり、人の声による自動通知の機能は、ユーザの知識を高めることになる。テキスト読み上げ機能を使用してヘッダ情報を通知する時期及び／又は他の情報を出力する時期のランダム化、並びにこれらの出力の内容の変動によって、実際のＤＪをシミュレートした場合の（例えば、従来のラジオ局の従来の人の声による通知をシミュレートした場合の）ユーザの知識は更に高められるであろう。
【００９０】
特定の実施形態に関して本発明を図示及び説明したが、当業者が本明細書を読み且つ理解することにより均等物及び変形が考案されることが理解される。本発明は、そのような均等物及び変更を全て含み、以下の請求の範囲によってのみ限定されるものとする。
【図面の簡単な説明】
【００９１】
【図１】本発明の実施形態に係る電子機器の一例として移動電話を概略的に示す図である。
【図２】本発明の実施形態に係る電子機器の図１の移動電話の関連部分を概略的に示すブロック図である。
【図３】図１の移動電話が動作する通信システムを概略的に示す図である。
【図４】本発明の実施形態に係る電子機器の別の例を概略的に示すブロック図である。
【図５】本発明に係る、視聴覚コンテンツ通知機能の一例を示すフローチャートである。
【図１】
2009536500.tif 000004
【図２】
2009536500.tif 000005
【図３】
2009536500.tif 000006
【図４】
2009536500.tif 000007
【図５】
2009536500.tif 000008
【手続補正書】
【提出日】平成19年6月22日(2007.6.22)
【手続補正１】
【補正対象書類名】特許請求の範囲
【補正対象項目名】全文
【補正方法】変更
【補正の内容】
【特許請求の範囲】
【請求項１】
ユーザに対して視聴覚コンテンツを再生し且つ前記視聴覚コンテンツに関連する情報を通知する電子機器（１０、１０’）であって、
視聴覚コンテンツを再生する視聴覚データプレーヤ（３２、３８、７６）と、
前記視聴覚コンテンツに関連するテキストデータを、テキストをユーザに対して可聴再生するために用いられるテキストデータ表現に変換する合成器（８０）と、を備え、前記視聴覚コンテンツに関連する変換されたテキストデータは、人の声による通知をシミュレートするために、つなぎ用の音声とマージされ、
前記電子機器は、更に、
前記視聴覚コンテンツを前記ユーザに通知するための前記視聴覚コンテンツの再生に関連して前記テキストデータを再生するように前記合成器及び前記視聴覚データプレーヤを制御するコントローラ（２４、６２）を備えることを特徴とする電子機器（１０、１０’）。
【請求項２】
前記コントローラの制御下で前記視聴覚データプレーヤのオーディオ出力と前記合成器の出力とを各音量で組み合わせるオーディオミクサ（８２）を更に備えることを特徴とする請求項１に記載の電子機器。
【請求項３】
前記テキストデータは、前記視聴覚コンテンツの再生前、前記視聴覚コンテンツの再生後又は前記視聴覚コンテンツの再生中のうちの１つから選択される時期に可聴通知されることを特徴とする請求項１または２に記載の電子機器。
【請求項４】
前記変換されたテキストデータは、前記視聴覚コンテンツに対応するヘッダから取得されることを特徴とする請求項１乃至３のいずれか１項に記載の電子機器。
【請求項５】
前記コントローラは、更に、前記視聴覚データプレーヤにより再生される前記視聴覚データに無関係の追加テキストデータを変換することにより、前記追加テキストデータを前記ユーザに対して再生するように前記合成器を制御することを特徴とする請求項１乃至４のいずれか１項に記載の電子機器。
【請求項６】
前記追加テキストデータは、前記電子機器の外部ソースから取得され、ニュースの見出し、天気予報、交通情報、スポーツのスコア又は株価のうちの少なくとも１つに対応することを特徴とする請求項５に記載の電子機器。
【請求項７】
前記通知に用いられる人の声は、前記視聴覚コンテンツのジャンルに対応していることを特徴とする請求項１乃至６のいずれか１項に記載の電子機器。
【請求項８】
電子機器（１０、１０’）のユーザに対して視聴覚コンテンツを再生し且つ前記視聴覚コンテンツに関連する情報を通知する方法であって、
前記ユーザに対して視聴覚コンテンツを再生する工程と、
前記視聴覚コンテンツに関連するテキストデータを、可聴表現に変換する工程と、
前記視聴覚コンテンツに関連する前記変換されたテキストデータを、人の声による通知をシミュレートするために、つなぎ用の音声とマージする工程と、
前記マージされたデータを再生し、前記視聴覚コンテンツに関連する情報を通知する工程と
を備えることを特徴とする方法。
【請求項９】
前記通知に用いられる人の声は、前記視聴覚コンテンツデータのジャンルに対応していることを特徴とする請求項８に記載の方法。
【請求項１０】
前記通知に用いられる人の声は、所定の人の声の組合わせの中から、ユーザにより選択されることを特徴とする請求項８に記載の方法。
【国際調査報告】
2009536500.tif 000009
2009536500.tif 000010